(57)【要約】【課題】  果樹に実った果実を保護するための果実保護袋を提供する。【解決手段】  本発明は果実保護袋であって、果実保護袋１は、上部開口部を有する閉塞可能な袋本体１０を有し、前記袋本体１０は、通気性があり耐水性のプラスチック・フィルムの外側層１１と、前記外側層に対応してその内面側に配設された、水分吸収することのできる水分吸収層１２と、前記水分吸収層に対応してその内面側に配設された内側層１３との三層構造から成り、前記内側層にはその表面を貫いて無数の孔がバラバラに形成されている。実際の使用にあたっては、袋本体１０を果実に被せてから、開口部に配置された密閉用シール部材２０のストリップを木になっている果実の茎周囲に配置して袋本体１０を密封状態にすることで、害虫や野鳥や化学殺虫剤などの化学薬品の被害を受けないようにすると共に、果実の品質向上が達成される。【選択図】図１
2009065907.tif 000002
【特許請求の範囲】
【請求項１】
左，右側端部、及び底部を閉塞し、内部に空間部を有する果実保護袋であって、前記果実保護袋は、上部開口部を有する閉塞可能な袋本体を有し、前記袋本体は、通気性のあるプラスチック・フィルムの外側層と、前記外側層に対応してその内面側に配設された、水分吸収することのできる水分吸収層と、前記水分吸収層に対応してその内面側に配設された内側層との三層構造から成り、前記内側層にはその表裏を貫いて無数の孔が点在するように形成されており、
更に、前記袋本体の開口部には、密閉用シール部材が配設されている、ことを特徴とする果実保護袋。
【請求項２】
前記外側層は耐水性材質で構成され、前記水分吸収層は、水分吸収性シリコン、セルロース紙、水分吸収性スポンジ、不織布から成る材質の群から選択されたものであることを特徴とする請求項１記載の果実保護袋。
【請求項３】
前記密閉用シール部材は、プラスチック製密閉式ストリップ、紐状タイ、ジッパー・タイ、ワイヤー、ステープル留めから成る群から選択されたものであることを特徴とする請求項１記載の果実保護袋。
【発明の詳細な説明】
【技術分野】
【０００１】
本発明は袋に関し、更に具体的に言うと、果実保護袋に関するものである。
【背景技術】
【０００２】
果実保護袋は、通常、果樹に実って生育途中の、これから熟れていこうとする果実に被せ、虫であるとか、野鳥などの動物からの被害や、外部からの水分の害などを受けないようにするものであると共に、最終的な果物産物の品質を向上させるように果実の成長を促したりするものである。
現在使用されている通常の保護袋は、紙袋や、ポリ袋、あるいは不織布製の袋などである。しかし、このような従来の袋は、それぞれに、異なる利点や欠点がある。
【０００３】
例えば、紙袋は価格が安くて、害虫を防御には効果的である。しかし、耐水性がないので、水に当るとすぐに破れてしまう。さらに、紙袋は、除草剤、殺虫剤、化学肥料などが使われた時に、このような化学薬品が果実に直接入り込んでしまうのを阻止することができない。
【０００４】
また、ポリ袋は水に強いという利点があるが、その一方で、通気性が悪いので、植物自体の呼吸作用により果実から産出される水分であるとか、日中の湿気が袋の中にこもったりすることで、水分がポリ袋の中に残留してしまい、これにより果実が腐れ易くなる可能性を高めてしまう。
【発明の開示】
【発明が解決しようとする課題】
【０００５】
本発明は、上述したような従来の保護袋の欠点を解消するためになされたものであり、耐水性があり且つ通気性のよい果実保護袋を提供することを目的とする。
【課題を解決するための手段】
【０００６】
上述の目的を達成するため、本発明の果実保護袋は、上部が開口する袋本体と、該袋本体の上部開口に密閉用シール部材とを有し、該袋本体は、通気性があると共に耐水性のあるフィルムから成る外側層と、該外側層の内側に形成された水分吸収層と、該水分吸収層の更に内側に形成された内側層との三層構造になっていて、木になっている果実に袋本体を被せてから果実の茎の部分のところで袋本体の開口を密閉用シール部材で閉じ、袋本体で果実を覆うことにより、害虫や動物による害や、化学製品などから果実を保護し、更には、果実の品質向上を可能とすることを特徴とする。
【発明の効果】
【０００７】
本発明の果実保護袋は、通気性があると共に耐水性があるので、袋本体の開口を密閉用シール部材で密閉しても、袋本体内，外の水分の影響を極力回避することができ、理想的な周囲環境で果実を生育させることができ、生産果実の品質向上を達成することができる。
袋本体の開口を密閉用シール部材で密閉することで、害虫や野鳥などの動物からの被害を回避できると共に、外部に散布された殺虫剤や除草剤あるいは化学肥料などの化学薬品の進入を阻止できるので、消費者は安心して果実を購入することができ、食の安全を提供することができる。
【発明を実施するための最良の形態】
【０００８】
以下、図面と共に、本発明の果実保護袋に関して更に詳細に説明する。
図１は本発明の果実保護袋の全体斜視図、図２は、図１の保護袋の一部の拡大縦断面図、図３Ａは、図１の果実保護袋の使用状態を示す説明図、図３Ｂは、図３ＡのＢ部分の拡大断面図である。
【実施例１】
【０００９】
図１および図２を参照しながら、本発明の果実保護袋１を説明すると、果実保護袋１は、袋本体１０と該袋本体１０の開口部を閉塞する密閉用シール部材２０から構成されている。
【００１０】
袋本体１０は左，右側端部および底部が閉塞され、内部に空間部を有し、且つ上部に開口部のある開閉可能な袋であり、外側層１１と該外側層１１の内面側に配設した水分吸収層１２と、該水分吸収層１２の内面側に配設された内側層１３との三層構造で構成されている。
【００１１】
前記外側層１１を構成する材質は、通気性のよいフィルム状層であって、耐水性があり、透明でも、半透明でも、不透明体であってもよい。
本発明の好ましい実施例においては、外側層１１の材質は、セルロース・プラスチック・フィルムである。このセルロース・プラスチックは、Coin Nanotech Innovations Company Limited製の ＣＯＩＮＴＥＣＨ-１１２５（Ｐ），１１２５（Ｐ），１１３０  のような、低温プラズマ処理を施されて、双極性ナノ多孔フィルム構造を有する、セルロース・ポリプロピレンか、或いは、セルロース・ポリエチレンである。
【００１２】
また、前記水分吸収層１２は、外側層１１に対応してその内面側に配設されており、材質としては水分を吸収して果実の内部への損傷を防ぐようにするもので、水分吸収性シリコン、セルロース紙、水分吸収性スポンジ、不織布などが使用されるものである。
【００１３】
内側層１３は、水分吸収層１２に対応してその内面側に配設されており、耐水性のビニールや紙製のもので、内側層１３の表裏に貫通する無数の孔１３１が点在して形成されている。
【００１４】
前記密閉用シール部材２０が袋本体１０の開口部に形成されていて、果実の茎の部分や果樹の幹に密閉用シール部材を巻いて口を閉め、空気や、雨や、虫などが袋本体１０に入り込まないようにする。密閉用シール部材２０は、プラスチック製の密閉式シール・ストリップであったり、紐状のものであったり、ジッパー、ワイヤー、ステープル留めなどであってよい。
【００１５】
図３Ａ及び図３Ｂを参照すると、本発明の好ましい実施例では、密閉用シール部材２０はビニール製の密閉式シール・ストリップであって、袋本体１０の開口は、例えばりんご３０のような果実の茎の周囲に沿って閉じられるようになっているので、虫や水分などの被害を防ぐことができる。
【００１６】
このように果実を包含した袋本体１０の開口部を緊縛しても、植物自体の呼吸作用によって、或いはまた、袋本体中にこもっている空気から水分が生じる。しかし、このような水分は、水分吸収層１２に簡単に入り込んでいき、太陽放射で発生した熱により水分吸収層で乾燥させられて蒸発して、袋本体の外側層から外気に放出される。また、降雨や散水による水分は外側層を通過して中へ入ってくるということがないので、袋本体の中は、果実が理想的品質に生育する乾燥状態のままにある。
【００１７】
更に、化学除草剤、化学殺虫剤、化学肥料などを、果実に直接当てることなく果樹に散布したり使用したりすることができるので、本発明の果実保護袋を使って生産した果実は、化学肥料などの化学製品を使用していることに対する消費者の懸念を払拭できる。
【００１８】
本発明では好ましい実施例を前述の通り開示したが、これらは決して本発明に限定するものではなく、当該技術を熟知する者なら誰でも、本発明の精神と領域を脱しない範囲内で各種の変更や改良を加えることができる。したがって、本発明の保護範囲は、特許請求の範囲で指定した内容を基準とする。
【図面の簡単な説明】
【００１９】
【図１】本発明の果実保護袋の一実施例を示す全体斜視図。
【図２】図１の保護袋の要部の拡大縦断面図。
【図３Ａ】図１の果実保護袋の使用状態を示す説明図。
【図３Ｂ】図３ＡのＢ部分の拡大断面図である。
【符号の説明】
【００２０】
１      果実保護袋
１０    袋本体
１１    外側層
１２    水分吸収層
１３    内側層
２０    密閉用シール部材
３０    果実
【図１】
2009065907.tif 000003
【図２】
2009065907.tif 000004
【図３Ａ】
2009065907.tif 000005
【図３Ｂ】
2009065907.tif 000006